(57)【要約】【課題】１種類の固定箱体を用いて、大型から小型まで端子箱を対応させることができる端子箱付きガス絶縁計器用変圧器を得る。【解決手段】ガス絶縁計器用変圧器本体の引出し端子部に電気的に接続して、ガス絶縁計器用変圧器本体の付属品を収納する端子箱３を取付ける。端子箱３は、ガス絶縁計器用変圧器本体に固定した固定箱体１０を備えている。固定箱体１０はその開口縁部１０ａの周縁に沿って凸状の当接部２２を形成し、この当接部２２に防水パッキン１８を介して蓋体１１を当てて、蓋体１１を固定箱体１０に開閉可能に固定する。【選択図】　図２
2004014742.tif 000002
【特許請求の範囲】
【請求項１】
ガス絶縁計器用変圧器本体の引出し端子部に電気的に接続されて、前記ガス絶縁計器用変圧器本体の付属品を収納する端子箱が取付けられている端子箱付きガス絶縁計器用変圧器において、
前記端子箱は前記ガス絶縁計器用変圧器本体に固定された固定箱体を備え、該固定箱体の開口縁部の周縁に沿って凸状の当接部が形成され、該当接部に防水パッキンを介して蓋体を当てて該蓋体が前記固定箱体に開閉可能に固定された構造になっている端子箱付きガス絶縁計器用変圧器。
【請求項２】
ガス絶縁計器用変圧器本体の引出し端子部に電気的に接続されて、前記ガス絶縁計器用変圧器本体の付属品を収納する端子箱が取付けられている端子箱付きガス絶縁計器用変圧器において、
前記端子箱は前記ガス絶縁計器用変圧器本体に固定された固定箱体を備え、該固定箱体の開口縁部の周縁に沿って凸状の当接部が形成され、該当接部に防水シールを介して底縁部に沿った凹部を嵌めて筒状の接続箱体が接続され、前記接続箱体はその先端縁部の周縁に沿って凸状の当接部が形成され、該当接部に防水パッキンを介して蓋体を当てて該蓋体が前記接続箱体に開閉可能に固定された構造になっている端子箱付きガス絶縁計器用変圧器。
【請求項３】
ガス絶縁計器用変圧器本体の引出し端子部に電気的に接続されて、前記ガス絶縁計器用変圧器本体の付属品を収納する端子箱が取付けられている端子箱付きガス絶縁計器用変圧器において、
前記端子箱は前記ガス絶縁計器用変圧器本体に固定された固定箱体を備え、該固定箱体の開口縁部の周縁に沿って凸状の当接部が形成され、該当接部に防水シールを介して底縁部に沿った凹部を嵌めて複数段に筒状の接続箱体が接続され、前記各接続箱体は底縁部に沿って前記凹部が設けられ且つ先端縁部の周縁に沿って前記当接部が形成された構造となっており、先端の段の前記接続箱体の前記当接部に防水パッキンを介して蓋体を当てて該蓋体が先端の段の前記接続箱体に開閉可能に固定された構造になっている端子箱付きガス絶縁計器用変圧器。
【請求項４】
前記固定箱体の開口縁部の外周には締結鍔部が突設されている請求項１，２，３のいずれか１項に記載の端子箱付きガス絶縁計器用変圧器。
【請求項５】
前記接続箱体にはその前記先端縁部の外周とその基端の前記底縁部の外周にそれぞれ締結鍔部が突設されている請求項２または３に記載の端子箱付きガス絶縁計器用変圧器。
【発明の詳細な説明】
【０００１】
【発明の属する技術分野】
本発明は、変電所等の母線または線路に接続して電圧を変成し、計器や継電器等に電圧を供給する端子箱付きガス絶縁計器用変圧器に関するものである。
【０００２】
【従来の技術】
この端子箱付きガス絶縁計器用変圧器の端子箱は、ガス絶縁計器用変圧器本体の付属品を収納するようになっている。
【０００３】
図５は従来の端子箱付きガス絶縁計器用変圧器の基本的構成を示した縦断面図である。
【０００４】
この端子箱付きガス絶縁計器用変圧器は、ガス絶縁計器用変圧器本体１の引出し端子部２に電気的に接続されて、該ガス絶縁計器用変圧器本体１の付属品を収納する端子箱３が取付けられている。ガス絶縁計器用変圧器本体１は、容器４内でその底板４ａ上に環状の鉄心５が収容され、この鉄心５に高圧と低圧のコイル６が巻装され、このコイル６の外周が高圧シールド７で覆われ、容器４の開口部８に絶縁スペーサ９が気密に取付けられ、この絶縁スペーサ９の中心に図示しないが高圧端子が設けられ、この高圧端子がコイル６の高圧部に接続されており、容器４内に絶縁ガスが充填されている。端子箱３は、ガス絶縁計器用変圧器本体１の付属品を収納する固定箱体１０と、その開口部を閉塞する蓋体１１とで構成されている。
【０００５】
次に、端子箱３のガス絶縁計器用変圧器本体１の付属品の種類及び数量に応じた従来の３種の構成について説明する。
【０００６】
図６（Ａ）（Ｂ）は、ガス絶縁計器用変圧器本体１の付属品の種類及び数量が最も多い場合の端子箱３の構成を、蓋体を除去した状態で示した正面図及び蓋体を備えた状態の縦断面図である。
【０００７】
この端子箱３においては、固定箱体１０はその開口縁部１０ａの周縁の各辺がＷ１とＬ１の寸法で、高さがＨ１となっている。この固定箱体１０内には、複数の端子を備えた端子群１２と２次短絡保護装置群１３とが固定金具１４に支持されて配置されている。固定金具１４の四隅は、ボス１５により固定箱体１０の底部に固定されている。また固定箱体１０内には誤差調整装置１６が配置されて、該固定箱体１０の底部に固定されている。固定箱体１０は、ガス絶縁計器用変圧器本体１の容器４に固定されている。引出し端子部２は、端子群１２，２次短絡保護装置群１３，誤差調整装置１６等に配線されている。蓋体１１は、防水パッキン１８を介して固定箱体１０の開口部を開閉可能に閉じている。固定箱体１０の開口縁部１０ａの外周には締結鍔部１９が突設され、蓋体１１の外周にも締結鍔部２０が突設され、ネジ２１で締結されている
図７は、ガス絶縁計器用変圧器本体１の付属品の種類及び数量が図６（Ａ）（Ｂ）より若干少ない場合の端子箱３の構成を、蓋体を除去した状態で示した正面図である。
【０００８】
この端子箱３においては、固定箱体１０は図６（Ａ）（Ｂ）の場合と同じ大きさで形成されている。この固定箱体１０内に配置された固定金具１４は、図６（Ａ）（Ｂ）の例に比べて幅狭になっている。この固定金具１４の長手方向の両側に、端子群１２と２次短絡保護装置群１３が取付けられている。この例では、誤差調整装置１６が省略されている。その他の構成は、図６（Ａ）（Ｂ）と同様に構成されている。
【０００９】
図８（Ａ）（Ｂ）は、ガス絶縁計器用変圧器本体１の付属品の種類及び数量が最も少ない場合の端子箱３の構成を、蓋体を除去した状態で示した正面図及び蓋体を備えた状態の縦断面図である。
【００１０】
この端子箱３においては、固定箱体１０はその開口縁部１０ａの周縁の各辺がＷ１とＬ２の寸法で、高さがＨ１となっていて、図６（Ａ）（Ｂ）の場合より小さく形成されている。この固定箱体１０内に、図７と同様に、端子群１２と２次短絡保護装置群１３が幅狭の固定金具１４に取付けられて配置されている。
【００１１】
【発明が解決しようとする課題】
しかしながら、このような構造の端子箱付きガス絶縁計器用変圧器では、付属品の種類及び数量が最も多い場合や付属品の種類及び数量が若干少ない場合には、固定箱体１０が図６（Ａ）（Ｂ）や図７に示すように大型となり、コスト高になる問題点があった。
【００１２】
また、付属品の種類及び数量が最も少ない場合には、端子箱３が図８（Ａ）（Ｂ）に示すように小型とはなるが、このように小型の固定箱体１０も、大型の固定箱体１０の他に準備しておかなければならないので、コスト高になる問題点があった。
【００１３】
本発明の目的は、１種類の固定箱体を用いて、大型から小型まで端子箱を対応させることができる端子箱付きガス絶縁計器用変圧器を提供することにある。
【００１４】
【課題を解決するための手段】
本発明は、ガス絶縁計器用変圧器本体の引出し端子部に電気的に接続されて、ガス絶縁計器用変圧器本体の付属品を収納する端子箱が取付けられている端子箱付きガス絶縁計器用変圧器を対象とする。
【００１５】
本発明に係る端子箱付きガス絶縁計器用変圧器では、端子箱はガス絶縁計器用変圧器本体に固定された固定箱体を備え、該固定箱体の開口縁部の周縁に沿って凸状の当接部が形成され、該当接部に防水パッキンを介して蓋体を当てて該蓋体が固定箱体に開閉可能に固定された構造になっている。
【００１６】
このように開口縁部の周縁に沿って凸状の当接部を備えた固定箱体の該当接部に防水パッキンを介して蓋体を当てて該蓋体を固定箱体に開閉可能に固定しているので、小型の端子箱を得ることができる。また、固定箱体の開口縁部の周縁に沿って凸状の当接部を設けているので、この当接部は、防水パッキンを介しての蓋体の接続以外に、端子箱の大型化時の接続箱体の接続にも使用することができる。
【００１７】
また、本発明に係る端子箱付きガス絶縁計器用変圧器では、端子箱はガス絶縁計器用変圧器本体に固定された固定箱体を備え、該固定箱体はその開口縁部の周縁に沿って凸状の当接部が形成され、該当接部に防水シールを介して底縁部に沿った凹部を嵌めて筒状の接続箱体が接続され、該接続箱体はその先端縁部の周縁に沿って凸状の当接部が形成され、該当接部に防水パッキンを介して蓋体を当てて該蓋体が接続箱体に開閉可能に固定された構造になっている。
【００１８】
このような端子箱付きガス絶縁計器用変圧器によれば、端子箱は固定箱体の先端に防水シールを介して接続箱体を接続した構造なので、端子箱の大型化を図ることができる。この場合、固定箱体は小型の端子箱の固定箱体と同じものであり、固定箱体の共通化が図られ、コストの上昇を押さえることができる。固定箱体と接続箱体との接続は、固定箱体の開口縁部の周縁に沿った凸状の当接部に防水シールを介して接続箱体の底縁部の凹部を嵌めて行うので、容易に固定箱体に接続箱体を接続することができる。
【００１９】
また、本発明に係る端子箱付きガス絶縁計器用変圧器では、端子箱はガス絶縁計器用変圧器本体に固定された固定箱体を備え、該固定箱体はその開口縁部の周縁に沿って凸状の当接部が形成され、該当接部に防水シールを介して底縁部に沿った凹部を嵌めて複数段に筒状の接続箱体が接続され、各接続箱体は底縁部に沿って凹部が設けられ且つ先端縁部の周縁に沿って凸状の当接部が形成された構造となっており、先端の段の接続箱体の当接部に防水パッキンを介して蓋体を当てて該蓋体が先端の段の接続箱体に開閉可能に固定された構造になっている。
【００２０】
このような端子箱付きガス絶縁計器用変圧器によれば、端子箱は固定箱体の先端に防水シールを介して複数段に接続箱体を接続した構造なので、端子箱をさらに大型化することができる。この場合、固定箱体は小型の端子箱の固定箱体と同じものであり、固定箱体の共通化が図られ、また接続箱体は同じ構造のものを用いるので、コストの上昇を押さえることができる。固定箱体と接続箱体との接続は、固定箱体の開口縁部の周縁に沿った凸状の当接部に防水シールを介して接続箱体の底縁部の凹部を嵌めて行うので、容易に固定箱体に接続箱体を接続することができる。また、接続箱体の相互の接続は、一方の接続箱体の先端縁部の当接部に、他方の接続箱体の底縁部の凹部を防水シールを介して嵌めて行うので、容易に接続箱体の相互接続を行うことができる。
【００２１】
また、固定箱体の開口縁部の外周には締結鍔部を突設すると、これを利用して固定箱体と蓋体との締結を容易に行うことができる。
【００２２】
さらに、接続箱体にはその先端縁部の外周とその底縁部の外周にそれぞれ締結鍔部を突設すると、接続箱体の相互の締結や、固定箱体との締結、蓋体との締結も容易に行うことができる。
【００２３】
【発明の実施の形態】
図１（Ａ）（Ｂ）及び図２は本発明に係る端子箱付きガス絶縁計器用変圧器における実施の形態の第１例で用いている端子箱を示したもので、図１（Ａ）（Ｂ）は該端子箱で蓋体を除去した状態で示した正面図及び蓋体を備えた状態の縦断面図、図２はこの端子箱の分解状態の縦断斜視図である。
【００２４】
本例の端子箱付きガス絶縁計器用変圧器で用いている端子箱３は、ガス絶縁計器用変圧器本体１に固定された直方体形状の固定箱体１０を備えている。この固定箱体１０は、その開口縁部１０ａの周縁の各辺がＷ１とこのＷ１より短いＬ２の寸法で、高さがＨ１となっていて、図６（Ａ）（Ｂ）に示す大型の固定箱体１０より小さく形成されている。
【００２５】
この固定箱体１０には、その開口縁部１０ａの周縁に沿って凸状の当接部２２が形成されされている。該固定箱体１０の開口縁部１０ａの四隅の外周には、鍔よりなる締結鍔部２３が突設されている。これら締結鍔部２３と、これに対向する蓋体１１の部分には、接続孔２４，２５が形成されている。
【００２６】
固定箱体１０の凸状の当接部２２に断面Ｕ形の防水パッキン１８が嵌められて、この防水パッキン１８を介して蓋体１１が当てられて、該蓋体１１が固定箱体１０に接続孔２４，２５に通した図示しないボルトとこれに螺合したナットとにより開閉可能に固定されるようになっている。
【００２７】
端子箱３内には、前述したようにして固定金具１４がボス１５で固設されている。この固定金具１４の前面には端子群１２と２次短絡保護装置群１３とが固設されている。
【００２８】
このように開口縁部１０ａの周縁に沿って凸状の当接部２２を備えた固定箱体１０の該当接部２２に防水パッキン１８を介して蓋体１１を当てて該蓋体１１を固定箱体１０に開閉可能に固定しているので、小型の端子箱３を得ることができる。また、固定箱体１０の開口縁部１０ａの周縁に沿って凸状の当接部２２を設けているので、この当接部２２は、防水パッキン１８を介しての蓋体１１の接続以外に、端子箱３の大型化時の後述する接続箱体の接続にも使用することができる。
【００２９】
図３（Ａ）（Ｂ）及び図４は本発明に係る端子箱付きガス絶縁計器用変圧器における実施の形態の第２例で用いている端子箱を示したもので、図３（Ａ）（Ｂ）は該端子箱で蓋体を除去した状態で示した正面図及び蓋体を備えた状態の縦断面図、図４はこの端子箱の分解状態の縦断斜視図である。
【００３０】
本例の端子箱付きガス絶縁計器用変圧器で用いている端子箱３は、ガス絶縁計器用変圧器本体１に固定された直方体形状の固定箱体１０を備えている。この固定箱体１０も、第１例と同様に、開口縁部１０ａの周縁の各辺がＷ１とこのＷ１より短いＬ２の寸法で、高さがＨ１となっていて、図６（Ａ）（Ｂ）に示す大型の固定箱体１０より小さく形成されている。
【００３１】
この固定箱体１０にも、その開口縁部１０ａの周縁に沿って凸状の当接部２２が形成されている。該固定箱体１０の開口縁部１０ａの四隅の外周にも、鍔よりなる締結鍔部２３が突設されている。この締結鍔部２３にも、図示しないが図２に示すように接続孔２４が形成されている。
【００３２】
この固定箱体１０には、凸状の当接部２２に防水シール２６を介して底縁部２７ａに沿った凹部２８を嵌めて筒状の接続箱体２７が接続されている。この接続箱体２７は、基端の底縁部２７ａに沿って前述したように凹部２８が設けられ且つ先端縁部２７ｂの周縁に沿って凸状の当接部２９が形成された構造となっている。接続箱体２７は、固定箱体１０に重ねて接続できる形状になっている。
【００３３】
この接続箱体２７の先端縁部２７ｂの周縁に沿った凸状の当接部２９に、断面Ｕ形の防水パッキン１８を嵌め、この防水パッキン１８を介して蓋体１１が当てられて、該蓋体１１は接続箱体２７に開閉可能に固定されている。
【００３４】
接続箱体２７には、その基端の底縁部２７ａの外周の四隅と、その先端縁部２７ｂの外周の四隅とに、それぞれ締結鍔部３０，３１が突設されている。これら締結鍔部３０，３１には、接続孔３２，３３が形成されている。これら接続孔３２，３３に通した図示しないボルトとこれに螺合したナットとにより、蓋体１１は接続箱体２７に開閉可能に固定されている。
【００３５】
このように形成された端子箱３内には、複数の端子を備えた端子群１２と２次短絡保護装置群１３とが固定金具１４の表面に支持されて配置されている。固定金具１４の裏面には誤差調整装置１６が支持されて配置されている。固定金具１４は、固定箱体１０と接続箱体２７との繋ぎ箇所に支持されている。
【００３６】
このような端子箱付きガス絶縁計器用変圧器によれば、端子箱３は固定箱体１０の先端に防水シール２６を介して接続箱体２７を接続した構造なので、端子箱３の大型化を図ることができる。この場合、固定箱体１０は小型の端子箱３の固定箱体１０と同じものであり、固定箱体１０の共通化が図られ、コストの上昇を押さえることができる。固定箱体１０と接続箱体２７との接続は、固定箱体１０の開口縁部１０ａの周縁に沿った凸状の当接部２２に防水シール２６を介して接続箱体２７の底縁部２７ａの凹部２８を嵌めて行うので、容易に固定箱体１０に接続箱体２７を接続することができる。
【００３７】
本発明は、これらに限定されるものではなく、前述した構造の複数の接続箱体２７を用い、固定箱体１０の開口縁部１０の周縁に沿った凸状の当接部２２に防水シール２６を介して基端の段の底縁部２７ａに沿った凹部２８を嵌めて筒状の接続箱体２７を接続し、この接続箱体２７の開口縁部１０の周縁に沿った凸状の当接部２２に防水シール２６を介して次の段の底縁部２７ａに沿った凹部２８を嵌めて筒状の接続箱体２７を接続することにより、複数段に接続箱体２７を接続し、先端の段の接続箱体２７の凸状の当接部２２に防水パッキン１８を介して蓋体１１を当てて該蓋体１１を先端の段の接続箱体２７に開閉可能に接続する構造にすることもできる。
【００３８】
このような端子箱付きガス絶縁計器用変圧器によれば、端子箱３は固定箱体１０の先端に防水シール２６を介して複数段に接続箱体２７を接続した構造なので、端子箱３をさらに大型化することができる。この場合、固定箱体１０は小型の端子箱３の固定箱体１０と同じものであり、固定箱体１０の共通化が図られ、また接続箱体２７は同じ構造のものを用いるので、コストの上昇を押さえることができる。固定箱体１０と接続箱体２７との接続は、固定箱体１０の開口縁部１０ａの周縁に沿った凸状の当接部２２に防水シール２６を介して接続箱体２７の底縁部２７ａの凹部２８を嵌めて行うので、容易に固定箱体２０に接続箱体２７を接続することができる。また、接続箱体２７の相互の接続は、一方の接続箱体２７の先端縁部２７ｂの凸状の当接部２９に、他方の接続箱体２７の底縁部２７ａの凹部２８を防水シール２６を介して嵌めて行うので、容易に接続箱体２７の相互接続を行うことができる。
【００３９】
【発明の効果】
本発明に係る端子箱付きガス絶縁計器用変圧器では、開口縁部の周縁に沿って凸状の当接部を備えた固定箱体の該当接部に防水パッキンを介して蓋体を当てて該蓋体を固定箱体に開閉可能に固定した構造なので、小型の端子箱を得ることができる。また、固定箱体の開口縁部の周縁に沿って凸状の当接部を設けているので、この当接部は、防水パッキンを介しての蓋体の接続以外に、端子箱の大型化時の接続箱体の接続にも使用することができる。
【００４０】
また、本発明に係る端子箱付きガス絶縁計器用変圧器では、端子箱は固定箱体の先端に防水シールを介して接続箱体を接続した構造なので、端子箱の大型化を図ることができる。この場合、固定箱体は小型の端子箱の固定箱体と同じものであり、固定箱体の共通化が図られ、コストの上昇を押さえることができる。固定箱体と接続箱体との接続は、固定箱体の開口縁部の周縁に沿った凸状の当接部に防水シールを介して接続箱体の底縁部の凹部を嵌めて行うので、容易に固定箱体に接続箱体を接続することができる。
【００４１】
また、本発明に係る端子箱付きガス絶縁計器用変圧器では、端子箱は固定箱体の先端に防水シールを介して複数段に接続箱体を接続した構造なので、端子箱をさらに大型化することができる。この場合、固定箱体は小型の端子箱の固定箱体と同じものであり、固定箱体の共通化が図られ、また接続箱体は同じ構造のものを用いるので、コストの上昇を押さえることができる。固定箱体と接続箱体との接続は、固定箱体の開口縁部の周縁に沿った凸状の当接部に防水シールを介して接続箱体の底縁部の凹部を嵌めて行うので、容易に固定箱体に接続箱体を接続することができる。また、接続箱体の相互の接続は、一方の接続箱体の先端縁部の凸状の当接部に、他方の接続箱体の底縁部の凹部を防水シールを介して嵌めて行うので、容易に接続箱体の相互接続を行うことができる。
【００４２】
また、固定箱体の開口縁部の外周には締結鍔部を突設すると、これを利用して固定箱体と蓋体との締結を容易に行うことができる。
【００４３】
さらに、接続箱体にはその先端縁部の外周とその基端の底縁部の外周にそれぞれ締結鍔部を突設すると、接続箱体の相互の締結や、固定箱体との締結、蓋体との締結も容易に行うことができる。
【図面の簡単な説明】
【図１】（Ａ）（Ｂ）は本発明に係る端子箱付きガス絶縁計器用変圧器における実施の形態の第１例で用いている端子箱で蓋体を除去した状態で示した正面図及び蓋体を備えた状態の縦断面図である。
【図２】第１例の端子箱の分解状態の縦断斜視図である。
【図３】（Ａ）（Ｂ）は本発明に係る端子箱付きガス絶縁計器用変圧器における実施の形態の第２例で用いている端子箱で蓋体を除去した状態で示した正面図及び蓋体を備えた状態の縦断面図である。
【図４】第２例の端子箱の分解状態の縦断斜視図である。
【図５】従来の端子箱付きガス絶縁計器用変圧器の基本的構成を示した縦断面図である。
【図６】（Ａ）（Ｂ）はガス絶縁計器用変圧器本体の付属品の種類及び数量が最も多い場合の端子箱の構成を、蓋体を除去した状態で示した正面図及び蓋体を備えた状態の縦断面図である。
【図７】ガス絶縁計器用変圧器本体の付属品の種類及び数量が図６（Ａ）（Ｂ）より若干少ない場合の端子箱の構成を、蓋体を除去した状態で示した正面図である。
【図８】（Ａ）（Ｂ）はガス絶縁計器用変圧器本体の付属品の種類及び数量が最も少ない場合の端子箱の構成を、蓋体を除去した状態で示した正面図及び蓋体を備えた状態の縦断面図である。
【符号の説明】
１　ガス絶縁計器用変圧器本体
２　引出し端子部
３　端子箱
４　容器
４ａ　底板
５　鉄心
５　コイル
７　高圧シールド
８　開口部
９　絶縁スペーサ
１０　固定箱体
１０ａ　開口縁部
１１　蓋体
１２　端子群
１３　２次短絡保護装置群
１４　固定金具
１５　ボス
１６　誤差調整装置
１８　防水パッキン
１９　締結鍔部
２０　締結鍔部
２１　ネジ
２２　当接部
２３　締結鍔部
２４，２５　接続孔
２６　防水シール
２７　接続箱体
２７ａ　底縁部
２７ｂ　先端縁部
２８　凹部
２９　当接部
３０．３１　締結鍔部
３２，３３　接続孔
【図１】
2004014742.tif 000003
【図２】
2004014742.tif 000004
【図３】
2004014742.tif 000005
【図４】
2004014742.tif 000006
【図５】
2004014742.tif 000007
【図６】
2004014742.tif 000008
【図７】
2004014742.tif 000009
【図８】
2004014742.tif 000010